(57)【要約】【課題】仮想選択肢を標示部外に構成した視線入力を備えた電子機器において、ユーザが表示部の範囲外へ視線を向ける必要があるため、ユーザは視線がどの仮想選択肢を選択したのかを知ることができないという問題があった。【解決手段】本発明の電子機器は表示部周辺に配置された発光部と、視線検出部と、視線検出部によりユーザ視線の移動を計測、発光部の明るさ、色、向きを変更する制御部を備え、ユーザ視線が仮想選択肢を貫いたことを検知し、その仮想選択肢に最も近い発光部を選択した色と明るさと向きで発光させることにより、ユーザはどの仮想選択視を選択したのかを知ることができる。【選択図】図３
2012014217.tif 000002
【特許請求の範囲】
【請求項１】
表面と、前記表面の周りの側面を備える筐体と、
前記表面に配置された表示部と、
ユーザの視線を検出する視線検出部と、
前記表示部の周辺であり、  かつ前記側面から外側に向かった仮想的な領域に設けられた仮想選択肢と、
前記表示部の周辺であり、かつ前記筐体に配置された発光部と、を備え、
前記視線検出部が検出したユーザ視線が前記仮想選択肢を貫く場合、前記発光部が点灯する電子機器。
【請求項２】
請求項１に記載の電子機器であって、
前記発光部は、前記側面に配置された電子機器。
【請求項３】
請求項１又は請求項２に記載の電子機器であって
前記発光部はLEDを備える電子機器。
【請求項４】
請求項１から請求項３の何れか１項に記載の電子機器であって、
前記仮想選択肢は、第1仮想選択肢と第２仮想選択肢を備え、
前記発光部は、前記第２仮想選択肢より前記第1仮想選択肢に近い第1発光部と、
前記第１仮想選択肢より前記第２仮想選択肢に近い第２発光部と、を備え、
前記視線検出部が検出したユーザ視線が、前記第1仮想選択肢を貫く場合に前記第１発光部が点灯し、前記第２仮想選択肢を貫く場合に前記第２発光部が点灯する電子機器。
【請求項５】
請求項１から請求項３の何れかの１項記載の電子機器であって、
前記仮想選択肢は、第1仮想選択肢と第２仮想選択肢を備え、
前記視線検出部が検出したユーザ視線が、前記第1仮想選択肢を貫く場合に、前記発光部は第1の明るさで発光し、前記第２仮想選択肢を貫く場合に、前記発光部は前記１の明るさと異なる第２の明るさで発光する電子機器。
【請求項６】
請求項５に記載の電子機器であって、
前記第２仮想選択肢は、前記第１仮想選択肢より前記発光部から遠く、
前記第２の明るさは、前記第１の明るさよりも明るい電子機器。
【請求項７】
請求項１から請求項３の何れかの１項記載の電子機器であって、
前記仮想選択肢は、第1仮想選択肢と第２仮想選択肢を備え、
前記視線検出部が検出したユーザ視線が、前記第1仮想選択肢を貫く場合に、前記発光部は第1の色で発光し、前記第２仮想選択肢を貫く場合に、前記発光部は前記１の色と異なる第２の色で発光する電子機器。
【請求項８】
請求項７に記載の電子機器であって、
前記第1仮想選択肢は、前記第２仮想選択肢より前記発光部に近く、
前記第１の色は緑色であり、前記第２の色は赤色である電子機器。
【請求項９】
請求項１から請求項８の何れかの１項記載の電子機器であって、
前記視線検出部が検出したユーザ視線が、前記仮想選択肢を貫く場合に、発光部の光が照らす方向を、視線と電子機器の設置されている設置面との交差点へ向ける電子機器。
【請求項１０】
請求項１から請求項９のいずれか一項に記載の電子機器である携帯端末装置。
【発明の詳細な説明】
【技術分野】
【０００１】
本発明は、携帯電話や携帯端末装置等の電子機器に用いられる視線入力に関するものである。
【背景技術】
【０００２】
従来、視線入力を備えた電子機器では視線をポインティングデバイスの一種と位置づけ、ユーザの視線が向いている表示部上の位置を検出し、その位置にカーソルを動かすというものが一般に知られている。しかし、携帯端末のような筐体の小さい電子機器では、表示部が小さく、ユーザは視線を狭い範囲で動かすことになるため、入力の精度が低くなってしまい、誤動作を起こし易いという問題がある。
【０００３】
この問題を解決するため、視線入力の範囲を表示部の外の平面に広げ、そこに仮想的な選択肢を構成し、ユーザに操作させるという方法が提案されている（例えば特許文献１）。
【０００４】
また、携帯端末の表示部の周辺を発光させ意匠性を高めると言う方法も提案されている（例えば特許文献２）。
【先行技術文献】
【特許文献】
【０００５】
【特許文献１】特開２００５−３２１８７０号公報
【特許文献２】特開２００２−７７３３９号公報
【発明の概要】
【発明が解決しようとする課題】
【０００６】
しかしながら、特許文献１に記載された方法では、仮想選択肢を表示部外に構成しているため、仮想選択肢に対する操作を行いたい場合には、表示部の範囲外へ視線を向ける必要が有り、仮想選択肢を選択した場合にどの選択肢を選択したのかという情報を画面上に表示したとしても、ユーザはそれを知ることが出来ない。そのため、ユーザが意図した操作とは異なる仮想選択肢を選択していてもそれを知ることが出来ず、誤った操作をしてしまうという問題があった。
【０００７】
また、特許文献２に記載された方法はユーザの操作性を向上させる等の付加価値は存在しなかった。
【０００８】
本発明は、このような従来の問題に鑑みてなされたものであり、表示部の周辺に発光部を設け、ユーザが表示部外に設けた仮想選択肢に対して操作を行った場合に、発光部を発光させることで、ユーザに何処の仮想選択肢に対して操作を行ったのかを知らせることが出来る電子機器を提供するものである。
【課題を解決するための手段】
【０００９】
本発明の電子機器は、表面と、前記表面の周りの側面を備える筐体と、前記表面に配置された表示部と、ユーザの視線を検出する視線検出部と、前記表示部の周辺であり、  かつ前記側面から外側に向かった仮想的な領域に設けられた仮想選択肢と、前記表示部の周辺であり、かつ前記筐体に配置された発光部と、を備え、前記視線検出部が検出したユーザ視線が前記仮想選択肢を貫く場合、前記発光部が点灯する。
【００１０】
この構成により、ユーザの視線が仮想選択肢を貫く場合に表示部の周辺にある発光部を点灯させることで、ユーザ視線が表示部に無くともユーザ視界の端部分で発光を認識させ、ユーザに仮想選択肢を選択していることを知らせることが出来る。
【００１１】
また、本発明の電子機器は、前記発光部は、前記側面に配置される。
【００１２】
この構成により、表示部の周りの側面に発光部を配置することで、表示部の表面に対して略直角方向に光が進むように発光部を配置することができ、光をより遠くに届かせることができるので、ユーザの視線が電子機器から離れていて発光が視界に入りやすくなることにより、ユーザに仮想選択肢を選択していることを知らせることが出来る。
【００１３】
また、本発明の電子機器は、前記発光部はLEDを備える。
【００１４】
この構成により、発光部の色や明るさを変化させることにより、仮想選択肢が複数ある場合でも、ユーザにどの仮想選択肢を選択しているのかを知らせることが出来る。
【００１５】
また、本発明の電子機器は、前記仮想選択肢は、第1仮想選択肢と第２仮想選択肢を備え、前記発光部は、前記第２仮想選択肢より前記第1仮想選択肢に近い第1発光部と、前記第１仮想選択肢より前記第２仮想選択肢に近い第２発光部と、を備え、前記視線検出部が検出したユーザ視線が、前記第1仮想選択肢を貫く場合に前記第１発光部が点灯し、前記第２仮想選択肢を貫く場合に前記第２発光部が点灯する。
【００１６】
この構成により、視線が貫く仮想選択肢が、第1仮想選択肢か第２仮想選択肢かによって、点灯する発光部を切り替えることができ、どちらの発光部が発光しているかをユーザが認識することによって、ユーザがどちらの仮想選択肢を選択しているのかを認識することが出来る。
【００１７】
また、本発明の電子機器は、前記仮想選択肢は、第1仮想選択肢と第２仮想選択肢を備え、前記視線検出部が検出したユーザ視線が、前記第1仮想選択肢を貫く場合に、前記発光部は第1の明るさで発光し、前記第２仮想選択肢を貫く場合に、前記発光部は前記１の明るさと異なる第２の明るさで発光する。
【００１８】
この構成により、視線が貫く仮想選択肢が、第1仮想選択肢か第２仮想選択肢かによって、発光部の明るさを変化させることができ、発光部の明るさの変化をユーザが認識することにより、ユーザがどちらの仮想選択肢を選択しているのかを認識することが出来る。
【００１９】
また、本発明の電子機器は、前記第２仮想選択肢は、前記第１仮想選択肢より前記発光部から遠く、
前記第２の明るさは、前記第１の明るさよりも明るい。
【００２０】
この構成により、遠くに設けた選択肢を選択した場合に発光部が明るく発光することにより、遠くに設けた選択肢を選択した場合であっても、発光はユーザの視界に入りやすくすることができ、ユーザに遠い仮想選択肢を選択していることを確実に知らせることが出来る。
【００２１】
また、本発明の電子機器は、前記仮想選択肢は、第1仮想選択肢と第２仮想選択肢を備え、前記視線検出部が検出したユーザ視線が、前記第1仮想選択肢を貫く場合に、前記発光部は第1の色で発光し、前記第２仮想選択肢を貫く場合に、前記発光部は前記１の色と異なる第２の色で発光する。
【００２２】
この構成により、視線が貫く仮想選択肢が、第1仮想選択肢か第２仮想選択肢かによって、発光部の色の変化をユーザに認識させることにより、色の変化によってユーザにどちらの仮想選択肢を選択しているのかを知らせることが出来る。
【００２３】
また、本発明の電子機器は、前記第1仮想選択肢は、前記第２仮想選択肢より前記発光部に近く、前記第１の色は緑色であり、前記第２の色は赤色である。
【００２４】
この構成により、遠くに設けた選択肢を選択した場合であっても、発光部を目立つ色（赤色）で発光させ、ユーザの視界に入りやすくさせることにより、ユーザに仮想選択肢を選択していることを知らせることが出来る。
【００２５】
また、本発明の電子機器は、前記視線検出部が検出したユーザ視線が、前記仮想選択肢を貫く場合に、発光部の光が照らす方向を、視線と電子機器の設置されている設置面との交差点へ向ける。
【００２６】
この構成により、ユーザが遠くの仮想選択肢を選択し発光部が視界に入らない場合であっても、ユーザに設置面に照射された発光部の光を見せることにより、ユーザに仮想選択肢を選択していることを知らせることが出来る。
【００２７】
また、本発明の電子機器は携帯端末装置であってもよい。
【発明の効果】
【００２８】
以上のように、本発明の電子機器によれば、何処の仮想選択肢に対する操作を行っているのかをユーザは知ることが出来るため、誤動作を防止し、操作性を向上させることが出来る。
【図面の簡単な説明】
【００２９】
【図１】本発明の実施の形態１における電子機器の概略構成図
【図２】本発明の実施の形態１における電子機器の動作を説明するフローチャート
【図３】本発明の実施の形態１における電子機器の発光部の向きの移動を示す概念図
【図４】本発明の実施の形態２における電子機器の概略構成図
【図５】本発明の実施の形態２における電子機器の動作を説明するフローチャート
【図６】本発明の実施の形態２における電子機器の発光部の向きの移動を示す概念図
【図７】本発明の実施の形態３における電子機器の概略構成図
【図８】本発明の実施の形態３における電子機器の動作を説明するフローチャート
【図９】本発明の実施の形態３における電子機器の発光部の向きの移動を示す概念図
【図１０】本発明の実施の形態４における電子機器の概略構成図
【図１１】本発明の実施の形態４における電子機器の動作を説明するフローチャート
【図１２】本発明の実施の形態４における電子機器の発光部の向きの移動を示す概念図
【図１３】本発明の実施の形態５における電子機器の概略構成図
【図１４】本発明の実施の形態５における電子機器の動作を説明するフローチャート
【図１５】本発明の実施の形態５における電子機器の発光部の向きの移動を示す概念図
【発明を実施するための形態】
【００３０】
（第１の実施の形態）
図1は第１の実施の形態における電子機器の概略構成図、図２は同電子機器の動作を説明するフローチャート、図３は同電子機器のユーザ視線の動きに対する発光部の動作を説明する概念図である。
【００３１】
本発明の実施の形態における電子機器は、図１に示すように、ユーザの視線を検出する視線検出部１０１と、制御部１０２と、発光部１０３を備える。そして、図３に示すように、同電子機器の表面に視線検出部１０１は設置され、側面に発光部１０３は設置される。制御部１０２は視線検出部１０１によって、ユーザの視線１０７の変化を検出し、電子機器の表示面の延長面上の任意の位置に設定された仮想選択肢１０５〜１０６がユーザに選択されたか否かを判定し、発光部１０３の発光を制御できるように構成される。
【００３２】
次に本実施の形態について、その動作を図２と図３を用いて説明する。
【００３３】
図２に示すように、制御部は仮想選択肢を設定し（Ｓ１０１）、視線検出部がユーザ視線の動きを検出するまで待つ（Ｓ１０２）。視線の動きを検出すると、ユーザ視線と表示部の延長面との交差点を計算する（Ｓ１０３）。ユーザ視線が仮想選択肢を貫いたことを検出すると（Ｓ１０４）、発光部を発光させる（Ｓ１０６）。ユーザ視線が仮想選択肢を貫いていないことを検出すると（Ｓ１０４）、発光部の発光を停止させる（Ｓ１０５）。図３で示す例では、ユーザ視線が、仮想選択肢１０５を貫いた場合に発光部を発光させる。
【００３４】
このように、本発明によれば、表示部外に設けられた仮想選択肢を選択したことを、ユーザは発光部の発光をみることで知ることができる。また、発光部を側面に配置したことで、ユーザの視線が電子機器から、遠く離れていても、発光が視界に入り易くすることができる。
【００３５】
発光部はLEDを使用することで、色や明るさを変化させることができ、その変化によって、複数ある仮想選択肢の内どの仮想選択肢を選択したのかを知らせることができる（具体例は、第３と第４の実施の形態で述べる）。
（第２の実施の形態）
図４は第２の実施の形態における電子機器の概略構成図、図５は同電子機器の動作を説明するフローチャート、図６は同電子機器のユーザ視線の動きに対する発光部の動作を説明する概念図である。
【００３６】
本発明の実施の形態における電子機器は、図４に示すように、２０１、２０２は第１の実施の形態の１０１、１０２と同等であるが、第一の発光部２０３と、第二の発光部２０８を備える。そして、図６に示すように、２０１、２０３〜２０６は第一の実施の形態１０１、１０２〜１０６と同様に設置されるが、第二の発光部２０８が側面に設置され、制御部はユーザの視線２０７の変化を検出し、仮想選択肢２０５〜２０６がユーザに選択されたか否かを判定し、第一の発光部２０３と第二の発光部２０８の発光を制御できるように構成される。
【００３７】
次に本実施の形態について、その動作を図５と図６を用いて説明する。
【００３８】
図５に示すように、Ｓ２０１〜Ｓ２０４の制御は第一の実施の形態Ｓ１０１〜Ｓ１０４と同等である。ユーザ視線が仮想選択肢を貫いたことを検出すると、制御部は選択した仮想選択肢に近い発光部を選択し（Ｓ２０６）、選択した発光部を発光させ、選択していない発光部の発光を停止させる（Ｓ２０７）。視線が仮想選択肢を貫いていない場合は全ての発光部の発行を停止させる（Ｓ２０５）。図６で示す例では、ユーザ視線が、仮想選択肢２０７を貫いた場合に第一の発光部２０３を発光させ、仮想選択肢２０８を貫いた場合に第二の発光部２０３を発光させる。
【００３９】
このように、本発明によれば、表示部外に設けられた仮想選択肢が複数ある場合に、どちらの発光部が発光したのかをユーザが認識することにより、ユーザはどの仮想選択肢を選択したのかを、知ることができる。
（第３の実施の形態）
図７は第３の実施の形態における電子機器の概略構成図、図８は同電子機器の動作を説明するフローチャート、図９は同電子機器のユーザ視線の動きに対する発光部の動作を説明する概念図である。
【００４０】
本発明の実施の形態における電子機器は、図７に示すように、３０１〜３０３は第１の実施の形態の１０１〜１０３と同等であるが、明るさ変更部３０４を備える。そして、図９に示すように、３０１、３０３〜３０６は第一の実施の形態１０１、１０２〜１０６と同様に設置されるが、制御部はユーザの視線３０７の変化を検出し、仮想選択肢３０５〜３０６がユーザに選択されたか否かを判定し、明るさ変更部３０９を制御し、発光部３０３の明るさを変更できるように構成される。
【００４１】
次に本実施の形態について、その動作を図８と図９を用いて説明する。
【００４２】
図５に示すように、Ｓ３０１〜Ｓ３０５の制御は第一の実施の形態Ｓ１０１〜Ｓ１０５と同等である。ユーザ視線が仮想選択肢を貫いたことを検出すると、制御部は選択した仮想選択肢が発光部から近い場合に、明るさを暗く、遠い場合に明るく設定し（Ｓ３０６）、設定した明るさで発光部を発光させる。（Ｓ３０７）。図９で示す例では、ユーザ視線が、仮想選択肢３０５を貫いた場合に発光部を暗く発光させ、仮想選択肢３０４を貫いた場合に発光部を明るく発光させる。
【００４３】
このように、本発明によれば、表示部外に設けられた仮想選択肢が複数ある場合に、発光部の明るさの変化をユーザが認識することにより、ユーザはどの仮想選択肢を選択したのかを、知ることができる。また、発光部から遠くに設けられた仮想選択肢を選択した場合に、発光部を明るく発光させることにより、発光をユーザの視界に入りやすくすることができ、ユーザに遠い仮想選択肢を選択していることを知らせることができる。
（第４の実施の形態）
図１０は第４の実施の形態における電子機器の概略構成図、図１１は同電子機器の動作を説明するフローチャート、図１２は同電子機器のユーザ視線の動きに対する発光部の動作を説明する概念図である。
【００４４】
本発明の実施の形態における電子機器は、図１０に示すように、４０１〜４０３は第１の実施の形態の１０１〜１０３と同等であるが、色変更部４０４を備える。そして、図１２に示すように、４０１、４０３〜４０６は第一の実施の形態１０１、１０２〜１０６と同様に設置されるが、制御部はユーザの視線４０７の変化を検出し、仮想選択肢４０５〜４０６がユーザに選択されたか否かを判定し、色変更部４１０を制御し、発光部４０３の色を変更できるように構成される。
【００４５】
次に本実施の形態について、その動作を図１１と図１２を用いて説明する。
【００４６】
図１１に示すように、Ｓ４０１〜Ｓ４０５の制御は第一の実施の形態Ｓ１０１〜Ｓ１０５と同等である。ユーザ視線が仮想選択肢を貫いたことを検出すると、制御部は選択した仮想選択肢が発光部から近い場合に、色を目立たない色、遠い場合に目立つ色に設定し（Ｓ４０６）、設定した色で発光部を発光させる。（Ｓ４０７）。図１２で示す例では、ユーザ視線が、仮想選択肢４０５を貫いた場合に発光部を緑色で発光させ、仮想選択肢４０４を貫いた場合に発光部を赤で発光させる。
【００４７】
このように、本発明によれば、表示部外に設けられた仮想選択肢が複数ある場合に、発光部の色の変化をユーザが認識することにより、ユーザはどの仮想選択肢を選択したのかを、知ることができる。また、発光部から遠くに設けられた仮想選択肢を選択した場合に、発光部を目立つ色で発光させることにより、発光をユーザの視界に入りやすくすることができ、ユーザに遠い仮想選択肢を選択していることを知らせることができる。
（第５の実施の形態）
図１３は第５の実施の形態における情報処理装置の概略構成図、図１４は同電子機器の動作を説明するフローチャート、図１５は同電子機器のユーザ視線の動きに対する発光部の動きを示す概念図である。
【００４８】
本発明の実施の形態における電子機器は、図１６に示すように、５０１〜５０３は第１の実施の形態の１０１〜１０３と同等であるが、同電子機器の形態を計測する形態計測部５１０と、同発光部の発光の向きを変更する方向変更部５１１を備える。そして、図１５に示すように、５０１、５０３〜５０６は第一の実施の形態１０１、１０２〜１０６と同様に設置されるが、制御部はユーザの視線５０７の変化を検出し、仮想選択肢５０５〜５０６がユーザに選択されたか否かを判定し、携帯計測部５１１の計測結果を元に、方向変更部５１２を制御し、発光の向き５１３をユーザ視線５０７の先へと向けることができるように構成される。
【００４９】
次に、本実施の形態について、その動作を図１４と図１５を用いて説明する。
【００５０】
図１４に示すように、Ｓ５０１〜Ｓ５０５の制御は第一の実施の形態Ｓ１０１〜Ｓ１０５と同等である。ユーザ視線が仮想選択肢を貫いたことを検出すると、電子機器の形態を計測し設置面の延長面を計算し（Ｓ５０６）、ユーザ視線と電子機器の設置面との交差点を計算し（Ｓ５０７）、その交差点を照らすように発光部の向きを計算し、向きを変更する（Ｓ５０８）。そして、発光部を発光させる（Ｓ５０９）。図１５で示す例では、ユーザ視線が、仮想選択肢５０５を貫いた場合に、発光の向きをそのときのユーザ視線と設置面との交差点に、仮想選択肢５０４を貫いた場合に、発光の向きをそのときのユーザ視線と設置面との交差点に向けている。
【００５１】
このように、本発明によれば、発光部から遠くに設けられた仮想選択肢を選択し、発光部が視界に入らない場合であっても、その発光をユーザの視線の先である電子機器の設置面へ照射させることができるため、ユーザはその発光を見ることにより、仮想選択肢を選択していることを知ることが出来る。
【産業上の利用可能性】
【００５２】
本発明は、表面と、前記表面の周りの側面を備える筐体と、前記表面に配置された表示部と、
ユーザの視線を検出する視線検出部と、前記表示部の周辺であり、  かつ前記側面から外側に向かった仮想的な領域に設けられた仮想選択肢と、前記表示部の周辺であり、かつ前記筐体に配置された発光部と、を備え、前記視線検出部が検出したユーザ視線が前記仮想選択肢を貫く場合、前記発光部が点灯することにより、ユーザはどの仮想選択肢を選択しているのかを知ることができる。
【００５３】
従って、電子機器において、標示領域外に仮想選択肢を設ける場合であっても、誤った仮想選択肢を選択することを防ぐことができ、表示部の小さい携帯電話やノート型ＰＣ等の電子機器に有用である。
【符号の説明】
【００５４】
１０１、２０１、３０１、４０１、５０１    視線検出部
１０２、２０２、３０２、４０２、５０２    制御部
１０３、２０３、２０８、３０３、４０３、５０３    発光部
１０４、１０５、１０６、２０４、２０５、２０６、３０４、３０５、３０６、４０４、４０５、４０６、５０４、５０５、５０６    仮想選択肢
１０７、２０７、３０７、４０７、５０７    ユーザ視線
３０９    明るさ変更部
４１０    色変更部
５１１    形態計測部
５１２    方向変更部
５１３    発光の向き
【図１】
2012014217.tif 000003
【図２】
2012014217.tif 000004
【図３】
2012014217.tif 000005
【図４】
2012014217.tif 000006
【図５】
2012014217.tif 000007
【図６】
2012014217.tif 000008
【図７】
2012014217.tif 000009
【図８】
2012014217.tif 000010
【図９】
2012014217.tif 000011
【図１０】
2012014217.tif 000012
【図１１】
2012014217.tif 000013
【図１２】
2012014217.tif 000014
【図１３】
2012014217.tif 000015
【図１４】
2012014217.tif 000016
【図１５】
2012014217.tif 000017